(57)【要約】【課題】  パイプや棹を両手でしっかりと持った状態で高所に殺虫剤を噴霧できるので、樹木に寄生している害虫に確実に殺虫剤を噴霧できる確実に消毒、殺虫できる高所殺虫剤噴霧装置を提供すること。【解決手段】  紐条体の下端に前記パイプの内径よりも大きな寸法のストッパーを取り付けると共に、パイプ等の下端にスライドパイプを設け、このスライドパイプを下方にスライドすることによって紐状体の下端に取り付けたストッパーを押し下げて噴霧するように構成したもの。【選択図】図１
0003129127.tif 000002
【実用新案登録請求の範囲】
【請求項１】
パイプ等の先端に殺虫あるいは消毒スプレイ缶を取り付け、スプレイ缶のプッシュボタンあるいはトリガーアームを紐条体で操作して殺虫あるいは消毒剤を噴霧するようにしたものにおいて、
前記紐条体の下端に前記パイプの内径よりも大寸法のストッパーを取り付けると共に、パイプ等の下端にスライドパイプを設け、このスライドパイプを下方にスライドすることによって紐状体の下端に取り付けたストッパーを押し下げて噴霧するように構成した高所殺虫剤噴霧装置。
【考案の詳細な説明】
【技術分野】
【０００１】  本考案は、毛虫やアブラムシ等の害虫を駆除するために、市販の殺虫剤スプレイを使用して、手の届かない高い樹木に寄生する害虫に殺虫剤を噴射することができる高所殺虫剤噴霧装置に関するものである。
【背景技術】
【０００２】  従来、殺虫剤スプレイ缶を所定長さのパイプや棹の先端に取り付け、スプレイ缶の噴射ボタンを手元のワイヤーや紐を引いて操作することにより、噴射する装置は知られている。
特開平１０−５２６６２「スプレイ缶噴射器」、あるいは特開２００３−９７５１「高枝用殺虫剤品者装置」がこれに相当する。
【考案の開示】
【考案が解決しようとする課題】
【０００３】  従来は前述のように、片手でパイプ等を握り、他方の手でパイプ等から吊り下げられた紐を片手で引く構成になっているために、片手持ち状態での使用を余儀なくされており、パイプや棹を両手でしっかり保持することが出来ない。
このため、パイプがふらつき、害虫の寄生箇所・位置にスプレイ噴射口の狙いを定め、殺虫剤を確実に害虫に噴射することが困難であった。
又、片手で長いパイプをもって長時間作業を行うと手が疲れる等の課題を有している。
本考案は、これらの課題に着目し、パイプや棹を両手でしっかりと持った状態で高所に殺虫剤を噴霧できるので、樹木に寄生している害虫に確実に殺虫剤を噴霧でき、確実に消毒、殺虫できる高所殺虫剤噴霧装置を提供することを目的としてなされたものである。
【課題を解決するための手段】
【０００４】  前記目的を達成するために本考案は、パイプ等の先端に殺虫あるいは消毒スプレイ缶を取り付け、スプレイ缶のプッシュボタンあるいはトリガーアームを紐条体で操作して殺虫剤あるいは消毒剤を噴霧するようにしたものにおいて、
前記紐条体の下端に前記パイプの内径よりも大きな寸法のストッパーを取り付けると共に、パイプ等の下端にスライドパイプを設け、このスライドパイプを下方にスライドすることにより紐状体の下端に取り付けたストッパーを押し下げるように構成したものである。
【考案の効果】
【０００５】    前記手段に記載の本考案によれば、パイプや棹を両手でしっかりと持った状態で高所に殺虫剤を噴霧できるので、樹木に寄生している害虫に確実に殺虫剤を噴霧できる高所殺虫剤噴霧装置を提供することができる。
【実施例１】
【０００６】  以下本考案の一実施例を説明する。
図１ないし５は高所殺虫剤噴霧装置の第一の実施例を示すもので、プッシュ式のスプレイ缶に適用するための構成を示すものである。【０００７】  図において、１は中空の金属製あるいは合成樹脂製の下パイプ、２は同様の中空の金属製あるいは合成樹脂製の上パイプであり、殺虫や消毒する樹木の高さに合わせてその長さを任意に決定する。
又、上パイプ２の外形は下パイプ１の内径より僅かに小径としてあり、下パイプ１に上パイプ２をスムース及びガタなく挿入できるようになっている。
尚、上記両パイプ１、２は強度と重量の面からステンレスあるいはアルミニウム製とすることが好ましい。
３は下パイプ１に設けた蝶螺子で、この蝶螺子３によって下パイプ１、上パイプ２のトータル長さを使用者によって調整し、その長さで固定している。【０００８】  ４は上パイプ２にリベット等で設けたスプレイ缶の下端を受ける受け具であり、上端を外方向に若干曲げた金属板から構成されている。この金属板は、ばね材が好ましい。曲げ量は図５に示すようにスプレイ缶の下端外周縁Ｓ１を上パイプ２との間に保持できる程度となされている。【０００９】  ５は上パイプ２の上端に被挿した合成樹脂、又は、金属製のキャップで上下外周に環状突条５１，５２を形成している。この環状突条５１、５２間で形成される環状溝（図示せず）は図３に示すようにクランプ６を具備したスプレイ缶の固定バンド７を保持するために供される。クランプはバックル機能を有している。固定バンドは帯状の布や針金でも良いが屈曲性に富む薄い金属バンドが長期にわたっても伸びないことから好適である。【０００１０】  前記キャップ５には上下に貫通する長穴５３が形設されており、長穴５３には上下にスライド可能な金属製のスライド板８が挿入されている。
この長穴５３は、上下にスライドするスライド板８の回転を阻止し、スライド板８の向きを一定方向に保持する役目をしている。【０００１１】  更に、このスライド板８の上端には、スプレイ缶Ｓのプッシュボタンを押圧するために直角に折り曲げられた押圧子９が設けられている。
この押圧子９は金属製であり、前記スライド板８と一体的に構成しても良い。【０００１２】  １０は下パイプ１の下端にスライド可能に被挿されたすライドパイプであり、その長さや外径は任意に選定できる。特に外径は人が握り易い太さである。
前記スライド板８の下端には、紐条体１１、例えばチェーンが取り付けられており（図示せず）、上パイプ２、下パイプ１及びスライドパイプ１０内を通してスライドパイプ１０の下端からそのチェーンの下端が所定長だけ下方に臨む長さになされている。紐条体１１はワイヤーや紐でも良いが、長さを始業時や作業中に簡単に調整又は微調整できる点で、ここではチェーンを使用している。チェーンはリングの数でその長さを簡単に調整することができるからである。【０００１３】  １２はチェーンの下端に取り付けた環状の金属製ストッパーで、前記スライドパイプ１１の内径より大きく設定してある。このため、スライドパイプ１０を下方にスライドさせた際に、このストパー１２はスライドパイプ１０の下端に突き当たる。
尚、このストッパー１２はリング状である必要ななく、棒状やブロック状でも良い。要はストッパーの機能を有すれば形状は問わないものである。【０００１４】  図２は前述の第一の実施例を示す高所殺虫剤噴霧装置の正面図、図３は本装置にスプレイ缶を取り付けた状態の上面図、図４は紐状体（チェーン）１１及びストッパー１２を横方向にずらした場合の下面図を示している。【０００１５】  次に、スプレイ缶Ｓを本装置に実際に取り付けて使用する方法について、図５を参照し説明する。
先ず、固定バンド７に取り付けられているクランプ（バックル）６を外し、固定バンド７の径を大きくしておく。
次いでスプレイ缶Ｓを固定バンド７の輪にいれ、更にスプレイ缶Ｓの底縁Ｓ１を図示のように受け具４の上方から挿入するように当てる。
この状態でクランプ６を締め付ければ上パイプ２の上方にスプレイ缶Ｓは確実に取り付け保持される。
尚、受け具４とバックル付き固定バンド７を用いることにより、取り付けられるスプレイ缶Ｓのサイズは相当の自由度を持つようになる。【０００１６】  この状態でスプレイ缶Ｓが上方になるようにパイプを立てればスライドパイプ１０は自重によって点線に示すように下方にスライドし、ストッパー１２に当接して停止する。【０００１７】  殺虫剤を噴霧する場合は、例えば左手で下パイプ１を持ち、右手でスライドパイプ１０を持って、上パイプ２に取り付けられたスプレイ缶Ｓの噴射口を害虫の寄生位置に向ける。【０００１８】  この状態でスライドパイプ１０を矢印のように下方にスライドすると、スライドパイプ１０の下端がストッパー１２を更に下方に押し下げることになる。ストッパー１２と上パイプ２でスライド自在に保持されたスライド板８は紐状体１１で連結してあるのでスライド板８は下方に押し下げられる。
従って、スライド板８の押圧子９がスプレイ缶Ｓのプッシュボタンを押すことになり、殺虫剤が害虫に向けて噴射される。
右手をスライドパイプ１０から離すと、スライドパイプ１０はプッシュボタンの復帰ばね（図示せず）のばね力によって上方に復帰し、プッシュボタンの押圧は停止し、噴射は停止する。
この作業を繰り返すことにより殺虫、消毒作業を順次実行することができる。
【実施例２】
【０００１９】  次に図６及び７に基づいて第二の実施例について説明する。
前記一実施例は、プッシュ式のスプレイ缶の例についてのものであるが、第二の実施例はトリガー式のスプレイを使用するためのものである。
第一の実施例と相違するのはスライド板８に操作紐２１を設けたことである。
実際の使用に当たっては、前記前記一実施例と同様に、左手で下パイプ１を持ち、右手でスライドパイプ１０を持って、上パイプ２に取り付けられたスプレイ缶Ｓの噴射口を害虫の寄生位置に向ける。【０００２０】  この状態でスライドパイプ１０を矢印のように下方にスライドすると、スライドパイプ１０の下端がストッパー１２を更に下方に押し下げる。
ストッパー１２と上パイプ２でスライド自在に保持されたスライド板８は紐状体１１で連結してあるのでスライド板８は下方に押し下げられる。
従って、スライド板８の操作紐２１がスプレイ缶Ｓのトリガーアーム２２を引くことになり、殺虫剤が害虫に向けて噴射される。【００２１】  尚、図６に示すように、スライド板８に押圧子９を蝶螺子２３で上下の取り付け位置を調整可能に取り付けておけば、プッシュ式のスプレイとトリガー式のスプレイの両者兼用の高所殺虫剤噴霧装置として供することができる。
【図面の簡単な説明】
【００２２】
【図１】    本考案の第一の実施例である高所殺虫剤噴霧装置を示す側面図。
【図２】    同じく高所殺虫剤噴霧装置を示す正面図。
【図３】    同じく高所殺虫剤噴霧装置を示す上面図。
【図４】    同じく高所殺虫剤噴霧装置を示す底面図。
【図５】    同じく高所殺虫剤噴霧装置の使用状態を示す側面図。
【図６】    本考案の第二の実施例である高所殺虫剤噴霧装置を示す側面図。
【図７】    同じく高所殺虫剤噴霧装置の使用状態を示す側面図。
【符号の説明】
【００２３】１  下パイプ、２  上パイプ、３、２３  蝶螺子、４、  受け具、
５  キャップ、６  クランプ、７  固定バンド、８  スライド板、９  押圧子、
１０  スライドパイプ、１１  紐状体、１２  ストパー、２１操作紐、
２２  トリガーアーム。
【図１】
0003129127.tif 000003
【図２】
0003129127.tif 000004
【図３】
0003129127.tif 000005
【図４】
0003129127.tif 000006
【図５】
0003129127.tif 000007
【図６】
0003129127.tif 000008
【図７】
0003129127.tif 000009